(57)【特許請求の範囲】
【請求項１】
コンクリート壁に形成される開口部の隅角に、当該コンクリート壁の壁厚方向のひび割れ誘発目地が、上記コンクリート壁の屋外側から屋内側の途中位置まで形成されていることを特徴とするコンクリート壁構造体。
【請求項２】
請求項１に記載のコンクリート壁構造体において、上記開口部の隅角の上側および下側の少なくとも一方に、縦方向に延びる縦方向ひび割れ誘発目地が形成されており、上記縦方向ひび割れ誘発目地と連続するように上記壁厚方向のひび割れ誘発目地が形成されていることを特徴とするコンクリート壁構造体。
【請求項３】
請求項１または請求項２に記載のコンクリート壁構造体において、上記開口部の隅角の横側に、横方向に延びる横方向ひび割れ誘発目地が形成されており、上記横方向ひび割れ誘発目地と連続するように上記壁厚方向のひび割れ誘発目地が形成されていることを特徴とするコンクリート壁構造体。
【請求項４】
請求項１〜請求項３のいずれか１項に記載のコンクリート壁構造体において、少なくとも壁厚方向のひび割れ誘発目地は凹溝状に形成されており、当該ひび割れ誘発目地に防水処理がなされていることを特徴とするコンクリート壁構造体。
【請求項５】
請求項４に記載のコンクリート壁構造体において、上記凹溝状のひび割れ誘発目地は、壁内部側ほど先鋭であることを特徴とするコンクリート壁構造体。
【発明の詳細な説明】
【技術分野】
【０００１】
この発明は、ひび割れ誘発目地が形成されたコンクリート壁構造体に関する。
【背景技術】
【０００２】
コンクリート壁構造体にひび割れが生じると、壁構造体の防水性や美観性を損なう原因になる。また、特に鉄筋コンクリート造壁構造体の場合には、ひび割れ部分から浸入する水分により鉄筋が腐蝕し、壁構造体としての強度を低下させる等の弊害が生じ易くなる。
【０００３】
そこで、構造上の問題の少ない箇所にひび割れを計画的かつ集中的に発生させ、他の重要な部分にはひび割れを生じさせないように、ひび割れ誘発目地をコンクリート壁構造体に形成することが行われている。例えば、ひび割れを発生させる予定箇所となるコンクリート壁構造体の表面に、凹溝からなるひび割れ誘発目地を設けている（特許文献１参照）。
【先行技術文献】
【特許文献】
【０００４】
【特許文献１】特開昭６２−１１７９２９号公報
【発明の概要】
【発明が解決しようとする課題】
【０００５】
しかしながら、上記コンクリート壁構造体の開口の隅角を形成するコンクリート壁構造体の部分の表面に、縦方向或いは横方向にひび割れ誘発目地を形成しても、計画通りにひび割れが生じず、上記開口の隅角を起点として斜め方向にひび割れが発生するといった問題があった。
【０００６】
この発明は、上記の事情に鑑み、計画する箇所に高い確度でひび割れを誘発させることができるコンクリート壁構造体を提供することを課題とする。
【課題を解決するための手段】
【０００７】
この発明のコンクリート壁構造体は、上記の課題を解決するために、コンクリート壁に形成される開口部の隅角に、当該コンクリート壁の壁厚方向にひび割れ誘発目地が形成されていることを特徴とする。
【０００８】
上記の構成であれば、上記コンクリート壁の壁厚方向にひび割れ誘発目地が形成されるので、従来のひび割れ誘発目地に比べ、計画する箇所に高い確度でひび割れを誘発させることができる。
【０００９】
上記開口部の隅角の上側および下側の少なくとも一方に、縦方向に延びる縦方向ひび割れ誘発目地が形成されており、上記縦方向ひび割れ誘発目地と連続するように上記壁厚方向のひび割れ誘発目地が形成されていてもよい。これによれば、上記縦方向ひび割れ誘発目地と上記壁厚方向のひび割れ誘発目地とが連続することによる相乗効果が得られ、計画する箇所に高い確度でひび割れを誘発させることができる。
【００１０】
上記開口部の隅角の横側に、横方向に延びる横方向ひび割れ誘発目地が形成されており、上記横方向ひび割れ誘発目地と連続するように上記壁厚方向のひび割れ誘発目地が形成されていてもよい。これによれば、上記横方向ひび割れ誘発目地と上記壁厚方向のひび割れ誘発目地とが連続することによる相乗効果が得られ、計画する箇所に高い確度でひび割れを誘発させることができる。
【００１１】
上記壁厚方向のひび割れ誘発目地が上記コンクリート壁の屋外側から屋内側の途中位置まで形成されていてもよい。これによれば、仮に上記コンクリート壁の屋外側にひび割れが生じて雨水が浸入したとしても、上記壁厚方向のひび割れ誘発目地は上記コンクリート壁の屋外側から屋内側の途中位置までであるので、雨水が屋内側まで浸入するのを抑制することができる。
【００１２】
また、この発明のコンクリート壁構造体は、コンクリート壁の天端に、当該コンクリート壁の壁厚方向にひび割れ誘発目地が形成されていることを特徴とする。
【００１３】
上記の構成であれば、従来のひび割れ誘発目地に比べ、計画する箇所に高い確度でひび割れを誘発させることができる。
【００１４】
上記コンクリート壁の壁面に、縦方向に延びる縦方向ひび割れ誘発目地が形成されており、上記コンクリート壁の天端に、上記縦方向ひび割れ誘発目地と連続するように、上記壁厚方向のひび割れ誘発目地が形成されていてもよい。これによれば、上記縦方向ひび割れ誘発目地と上記壁厚方向のひび割れ誘発目地とが連続することによる相乗効果が得られ、計画する箇所に高い確度でひび割れを誘発させることができる。
【００１５】
これらのコンクリート壁構造体において、少なくとも上記壁厚方向のひび割れ誘発目地は凹溝状に形成されており、当該ひび割れ誘発目地に防水処理がなされていてもよい。
【００１６】
上記凹溝は、壁内部側ほど先鋭であってもよい。
【発明の効果】
【００１７】
本発明であれば、計画する箇所に高い確度でひび割れを誘発させることができるという効果を奏する。
【図面の簡単な説明】
【００１８】
【図１】図１は本発明の実施形態に係るコンクリート壁構造体を斜視により示した説明図である。
【図２】図１のコンクリート壁構造体における開口部の左上隅角のひび割れ誘発目地を示した説明図であり、同図（Ａ）はひび割れ誘発目地に防水処理をする前の状態を示しており、同図（Ｂ）はひび割れ誘発目地に防水処理をした状態を示している。
【図３】図１のコンクリート壁構造体における開口部の左上隅角のひび割れ誘発目地を示した説明図であり、同図（Ａ）は壁厚方向のひび割れ誘発目地の箇所に目地棒を配置して示した説明図であり、同図（Ｂ）は縦方向ひび割れ誘発目地の箇所に目地棒を配置して示した説明図である。
【図４】同図（Ａ）は、図１のコンクリート壁構造体における開口部の左上隅角のひび割れ誘発目地を製作するコンクリート型枠の概略を示した説明図であり、同図（Ｂ）は他の実施形態となるコンクリート壁構造体における開口部の左上隅角のひび割れ誘発目地を製作するコンクリート型枠の概略を示した説明図である。
【図５】同図（Ａ）および同図（Ｂ）は、開口部におけるひび割れ誘発目地の他の形成例を示した説明図である。
【図６】同図（Ａ）および同図（Ｂ）は、開口部におけるひび割れ誘発目地の他の形成例を示した説明図である。
【図７】同図（Ａ）および同図（Ｂ）は、開口部におけるひび割れ誘発目地の他の形成例を示した説明図である。
【図８】同図（Ａ）、同図（Ｂ）、同図（Ｃ）、同図（Ｄ）は、開口部における壁厚方向のひび割れ誘発目地の他の形成例を示した説明図である。
【図９】この発明の他の実施形態のコンクリート壁構造体（腰壁）を斜視により示した説明図である。
【００１９】
以下、この発明の実施の形態を添付図面に基づいて説明する。
図１に示しているように、この実施形態にかかるコンクリート壁構造体１は、鉄筋を備えるコンクリート壁２に形成される方形状の開口部２１の隅角の上面側および下面側を形成する壁部位において、当該コンクリート壁２の壁厚方向に、ひび割れ誘発目地３が形成されたものである。上記開口部２１には、例えば、サッシ窓枠等が組み込まれる。
【００２０】
そして、上記開口部２１の隅角の上側および下側の壁面に、縦方向（鉛直方向）に延びる縦方向ひび割れ誘発目地４が形成されている。この縦方向ひび割れ誘発目地４は、上記壁厚方向のひび割れ誘発目地３と連続するように形成されている。また、上記縦方向ひび割れ誘発目地４は、屋外側および屋内側の両壁面に形成されており、上記壁厚方向のひび割れ誘発目地３の両端（壁面側）において連続している。
【００２１】
なお、上記縦方向ひび割れ誘発目地４は、上階或いは下階の床コンクリートの形成位置等に限らず、任意の位置に延設されてよい。また、上記縦方向ひび割れ誘発目地４は、図３では横幅寸法が奥行き寸法よりも大きくされているが、このような形状に限るものではない。また、上記壁厚方向のひび割れ誘発目地３は、壁厚方向に直交する断面が略正方形状に形成されているが、このような形状に限るものではない。また、上記開口部２１の上側または下側の一方のみに上記ひび割れ誘発目地３および上記縦方向ひび割れ誘発目地４が形成されていてもよい。また、上記縦方向ひび割れ誘発目地４は、屋外側および屋内側の両壁面に形成されることに限らず、一方側にのみ形成されていてもよい。
【００２２】
上記ひび割れ誘発目地３および上記縦方向ひび割れ誘発目地４は、例えば、図２（Ａ）にも示すように、コンクリートを存在させていない凹溝からなっており、この凹溝内に、例えば、図２（Ｂ）に示すように、防水処理Ｓを施している。この防水処理Ｓは、例えば、シーリング材およびバックアップ材を用いて行うことができる。
【００２３】
図３（Ａ）に示すように、上記壁厚方向のひび割れ誘発目地３は、例えば、断面四角形の目地棒５１を用いて形成することができる。同様に、上記縦方向ひび割れ誘発目地４は、図３（Ｂ）に示すように、例えば、断面四角形の目地棒５２を用いて形成することができる。
【００２４】
上記目地棒５１および上記目地棒５２は、図４（Ａ）に示すように、コンクリート型枠５３の堰板に釘等を用いて固定される。また、このコンクリート型枠５３において、上記縦方向ひび割れ誘発目地４を形成する目地棒５２は、上記壁厚方向のひび割れ誘発目地３を形成する目地棒５１に接して固定される。
【００２５】
上記のコンクリート壁構造体１は、上記開口部２１の隅角の上面側或いは下面側を形成する壁部位に、上記壁厚方向のひび割れ誘発目地３が形成されたが、これに限らず、図５（Ａ）に示すように、上記開口部２１の隅角の横面側を形成する壁部位に、上記壁厚方向のひび割れ誘発目地３が形成されていてもよい。また、上記開口部２１の隅角の横側の壁面に、横方向（水平方向）に延びる横方向ひび割れ誘発目地４１が、上記開口部２１の隅角の横側の壁面に形成された上記壁厚方向のひび割れ誘発目地３に連続するように形成されていてもよい。
【００２６】
上記横方向ひび割れ誘発目地４１等は、例えば、図４（Ｂ）に示すように、コンクリート型枠５４を用いて形成することができる。このコンクリート型枠５４においては、上記壁厚方向のひび割れ誘発目地３を形成する上記目地棒５１は、上記開口部２１の隅角の横面側を形成する壁部位となる箇所に設けられる。そして、上記横方向に延びる横方向ひび割れ誘発目地４１を形成する目地棒５５は、上記目地棒５１に接して固定される。なお、上記目地棒５５は、柱位置まで延設されていてもよい。
【００２７】
上記の構成であれば、上記コンクリート壁２の壁厚方向にひび割れ誘発目地３が形成されるので、当該壁厚方向にひび割れ誘発目地３に、すなわち、計画する箇所に、高い確度でひび割れを誘発させることができる。また、上記コンクリート壁２の表面に形成される上記縦方向ひび割れ誘発目地４或いは上記横方向ひび割れ誘発目地と上記壁厚方向のひび割れ誘発目地３とが連続して形成され構成であれば、両ひび割れ誘発目地が連続することによる相乗効果が得られ、これら誘発目地に高い確度でひび割れを誘発させることができる。
【００２８】
なお、断面四角形の上記目地棒５１等を用いることで、上記壁厚方向のひび割れ誘発目地３として四角形の凹溝形状を有することになるが、上記目地棒５１等として断面三角形あるいは五角形の目地棒を用いることにより、壁内部側ほど先鋭である凹溝によるひび割れ誘発目地３等を形成することができる。
【００２９】
また、上記図４（Ａ）に示すコンクリート型枠５３において、上記図４（Ｂ）に示す目地棒５１および目地棒５５を足し合せることにより、図５（Ｂ）に示すコンクリート壁構造体１を形成するようにしてもよい。すなわち、コンクリート壁２に形成される開口部２１の隅角の上面側（下面側）を形成する壁部位において、上記壁厚方向のひび割れ誘発目地３を形成し、これに連続させて上記開口部２１の隅角の上側（下側）の壁面に、縦方向に延びる縦方向ひび割れ誘発目地４を形成するとともに、開口部２１の隅角の横面側を形成する壁部位にも、上記壁厚方向のひび割れ誘発目地３を形成し、これに連続させて上記開口部２１の隅角の横側の壁面にも、横方向に延びる横方向ひび割れ誘発目地４１を形成する。
【００３０】
また、図６（Ａ）に示すように、上記開口部２１の隅角の横面側を形成する壁部位に、上記壁厚方向のひび割れ誘発目地３を形成し、これに連続させて上記開口部２１の隅角の上側（下側）の壁面に、縦方向に延びる縦方向ひび割れ誘発目地４を形成してもよい。望ましくは、図６（Ｂ）に示すように、上記開口部２１の隅角の横面側を形成する壁部位に、上記壁厚方向のひび割れ誘発目地３を、その上面（下面）が上記開口部２１の上面（下面）を越えるように形成し、この壁厚方向のひび割れ誘発目地３に連続させて上記開口部２１の隅角の上側（下側）の壁面に、縦方向に延びる縦方向ひび割れ誘発目地４を形成してもよい。
【００３１】
また、図７（Ａ）に示すように、上記開口部２１の隅角の上面側（下面側）を形成する壁部位に、上記壁厚方向のひび割れ誘発目地３を形成し、これに連続させて上記開口部２１の隅角の横側の壁面に、横方向に延びる縦方向ひび割れ誘発目地４１を形成してもよい。望ましくは、図７（Ｂ）に示すように、上記開口部２１の隅角の上面側（下面側）を形成する壁部位に、上記壁厚方向のひび割れ誘発目地３を、その横面が上記開口部２１の横面を越えるように形成し、この壁厚方向のひび割れ誘発目地３に連続させて上記開口部２１の隅角の横側の壁面に、横方向に延びる横方向ひび割れ誘発目地４１を形成してもよい。
【００３２】
また、図８（Ａ）、図８（Ｂ）、図８（Ｃ）および図８（Ｄ）に示すように、上記壁厚方向のひび割れ誘発目地３が上記コンクリート壁２の屋外側から屋内側の途中位置まで形成されていてもよい。これによれば、仮に上記コンクリート壁２の屋外側にひび割れが生じて雨水が浸入したとしても、上記壁厚方向のひび割れ誘発目地３は上記コンクリート壁２の屋外側から屋内側の途中位置までであるので、雨水が屋内側まで浸入するのを抑制することができる。なお、このような壁厚方向のひび割れ誘発目地３を形成する場合、一部または全部が楔形状である目地棒を用いることができる。
【００３３】
図９は他の実施形態のコンクリート壁構造体１Ａを示している。このコンクリート壁構造体１Ａは、コンクリート壁２Ａ（腰壁等）の天端に、当該コンクリート壁２Ａの壁厚方向にひび割れ誘発目地６が形成されている。上記ひび割れ誘発目地６の形成間隔は、例えば、３ｍ〜３．５ｍ程度とされる。このコンクリート壁構造体１Ａにおいても、従来のひび割れ誘発目地に比べ、計画する箇所に高い確度でひび割れを誘発させることができる。
【００３４】
上記コンクリート壁２Ａの壁面に、二点鎖線で示すように、縦方向に延びる縦方向ひび割れ誘発目地７が、上記壁厚方向のひび割れ誘発目地６と連続するように形成されていてもよい。これによれば、上記縦方向ひび割れ誘発目地７と上記壁厚方向のひび割れ誘発目地６とが連続することによる相乗効果が得られ、上記壁厚方向のひび割れ誘発目地６および上記縦方向ひび割れ誘発目地７に、高い確度でひび割れを誘発させることができる。
【００３５】
なお、上記壁厚方向のひび割れ誘発目地６および上記縦方向に延びる縦方向ひび割れ誘発目地７に例えばシーリング材等からなる防水処理が施されていてもよい。また、上記コンクリート壁２Ａの天端には笠木が設けられるのがよい。また、上記縦方向ひび割れ誘発目地７は上記コンクリート壁２Ａの表裏両壁面に形成されていてもよい。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１、１Ａ      コンクリート壁構造体
２、２Ａ      コンクリート壁
２１    開口部
３      ひび割れ誘発目地（壁厚方向）
４      縦方向ひび割れ誘発目地
４１    横方向ひび割れ誘発目地
６      ひび割れ誘発目地（壁厚方向）
７      縦方向ひび割れ誘発目地
【図１】
0006571366.tif 000002
【図２】
0006571366.tif 000003
【図３】
0006571366.tif 000004
【図４】
0006571366.tif 000005
【図５】
0006571366.tif 000006
【図６】
0006571366.tif 000007
【図７】
0006571366.tif 000008
【図８】
0006571366.tif 000009
【図９】
0006571366.tif 000010